(57)【特許請求の範囲】
【請求項１】
座面部と背もたれ部とを有する座席本体と、
前記背もたれ部の前面上に重なって、上下方向に摺動可能なスライド部材と、
前記スライド部材の高さを所定位置に固定するロック機構と、
前記スライド部材および前記背もたれ部を貫通するように配置された一対の肩ベルトとを備え、
前記スライド部材は、前記一対の肩ベルトを貫通させる一対の肩ベルト通し穴を有する上方部分と、前記上方部分の幅方向両端縁から下方に突出して延びる一対の下方突出棒状部分を有する下方部分とを含み、
前記一対の下方突出棒状部分の間には、空間が形成されて、前記背もたれ部の前面を露出させており、
前記背もたれ部は、前記一対の肩ベルト通し穴を通過した前記一対の肩ベルトを背面にまで貫通させる、上下方向に長い長穴を有し、さらに、
前記スライド部材は、前記一対の下方突出棒状部分に張り渡されて、前記背もたれ部の前面を覆う薄手の素材からなるカバー部材を備える、チャイルドシート。
【請求項２】
前記カバー部材は、前記スライド部材の全面を覆う、請求項１に記載のチャイルドシート。
【請求項３】
前記スライド部材は、子供の頭部を保護するための一対の側壁部を含む、請求項１または２に記載のチャイルドシート。
【請求項４】
前記ロック機構は、
前記背もたれ部の前記一対の長穴に沿って、上下方向に間隔をあけて設けられる複数の受け入れ穴と、
前記スライド部材に設けられ、前記受け入れ穴に貫通するピン部材とを有し、
前記ピン部材が前記受け入れ穴に貫通することで、前記スライド部材は、前記背もたれ部に対する移動が規制される、請求項１〜３のいずれかに記載のチャイルドシート。
【請求項５】
前記スライド部材の上方には、上下方向に移動可能な操作部が設けられ、前記操作部を下方に移動させることで、前記ピン部材は前記受け入れ穴から引き抜かれる、請求項４に記載のチャイルドシート。
【発明の詳細な説明】
【技術分野】
【０００１】
この発明は、一対の肩ベルトを有するチャイルドシートに関する。
【背景技術】
【０００２】
従来から、子供の成長に応じて肩ベルトの高さ位置を調節することが可能なチャイルドシートとして、たとえば、特開２０１２−１１６４６５号公報（特許文献１）および特開２０１３−１４１８３４号公報（特許文献２）がある。
【０００３】
特許文献１には、挿通孔を有するバックプレートが、ハーネス高さ調整開口を有する幼児収容部の背部に対して昇降可能であることが開示されている。バックプレートは、平板状であり、幼児収納部の背部上に設けられることが開示されている。
【０００４】
特許文献２には、貫通穴を有する摺動部材を長穴を有するシート部に対して上下動可能に設け、この摺動部材を上下に移動させることにより、肩ベルトの高さ調節を可能とすることが開示されている。シート部には、シート部用カバー材が取り外し可能に装着され、シート部用カバー材の開口に摺動部材が貫通して配置されることが開示されている。
【先行技術文献】
【特許文献】
【０００５】
【特許文献１】特開２０１２−１１６４６５号公報
【特許文献２】特開２０１３−１４１８３４号公報
【発明の概要】
【発明が解決しようとする課題】
【０００６】
上述のように、特許文献１のチャイルドシートは、バックプレートと背部で段差ができるため、幼児は乗り心地が悪い。特許文献２のチャイルドシートも、摺動部材とシート部で段差ができるが、摺動部材の下端部をシート部用カバー材の開口内に配置して段差を覆っているため、幼児は乗り心地がよい。しかし、摺動部材とシート部との段差を覆うために、別途、シート部用カバー材を設ける必要がある。
【０００７】
本発明は、上記のような課題を解決するためになされたものであって、その目的は、簡易な構造で乗り心地が良好なチャイルドシートを提供することを目的とする。
【課題を解決するための手段】
【０００８】
この目的のため本発明によるチャイルドシートは、座面部と背もたれ部とを有する座席本体と、背もたれ部の前面上に重なって、上下方向に摺動可能なスライド部材と、スライド部材の高さを所定位置に固定するロック機構と、スライド部材および背もたれ部を貫通するように配置された一対の肩ベルトとを備え、スライド部材は、一対の肩ベルトを貫通させる一対の肩ベルト通し穴を有する上方部分と、上方部分の幅方向両端縁から下方に突出して延びる一対の下方突出棒状部分を有する下方部分とを含み、一対の下方突出棒状部分の間には、空間が形成されて、背もたれ部の前面を露出させており、背もたれ部は、一対の肩ベルト通し穴を通過した一対の肩ベルトを背面にまで貫通させる、上下方向に長い長穴を有し、さらに、スライド部材は、一対の下方突出棒状部分に張り渡されて、背もたれ部の前面を覆う薄手の素材からなカバー部材を備える。
【０００９】
好ましくは、カバー部材は、スライド部材の全面を覆う。
【００１０】
好ましくは、スライド部材は、子供の頭部を保護するための一対の側壁部を含む。
【００１１】
好ましくは、ロック機構は、背もたれ部の一対の長穴に沿って、上下方向に間隔をあけて設けられる複数の受け入れ穴と、スライド部材に設けられ、受け入れ穴に貫通するピン部材とを有し、ピン部材が受け入れ穴に貫通することで、スライド部材は、背もたれ部に対する移動が規制される。
【００１２】
好ましくは、スライド部材の上方には、上下方向に移動可能な操作部が設けられ、操作部を下方に移動させることで、ピン部材は受け入れ穴に貫通する。
【発明の効果】
【００１３】
本発明によれば、簡易な構造で乗り心地が良好なチャイルドシートを提供することができる。
【図面の簡単な説明】
【００１４】
【図１】本実施の形態に係るチャイルドシートの斜視図である。
【図２】本実施の形態に係るチャイルドシートの斜視図である。
【図３】本実施の形態に係るチャイルドシートの背もたれ部およびスライド部材を取り出して示す正面図である。
【図４】本実施の形態に係るチャイルドシートの背もたれ部およびスライド部材を取り出して示す背面図である。
【図５】背もたれ部を取り出して示す斜視図である。
【図６】スライド部材を取り出して示す正面図である。
【図７】スライド部材の背面斜視図である。
【図８】スライド部材の側面図である。
【図９】スライド部材のカバー部材の正面図である。
【図１０】スライド部材のカバー部材の背面図である。
【図１１】図８のＸＩ−ＸＩ線に沿って見た縦断面図であって、スライド部材のロック状態を示す縦断面図である。
【図１２】図１１のＸＩＩ−ＸＩＩ線に沿って見た横断面図であって、スライド部材のロック状態を示す横断面図である。
【図１３】図１１に対応する縦断面図であって、背もたれ部とスライド部材のロック状態を示す縦断面図である。
【図１４】図８のＸＩ−ＸＩ線に沿って見た縦断面図であって、スライド部材のロック解除状態を示す縦断面図である。
【図１５】図１４のＸＶ−ＸＶ線に沿って見た横断面図であって、スライド部材のロック解除状態を示す横断面図である。
【図１６】図１４に対応する縦断面図であって、背もたれ部とスライド部材のロック解除状態を示す縦断面図である。
【発明を実施するための形態】
【００１５】
本発明の実施の形態について図面を参照しながら詳細に説明する。なお、図中同一または相当部分には同一符号を付してその説明は繰り返さない。
【００１６】
図１を参照して、本発明の実施の形態に係るチャイルドシート１について説明する。チャイルドシート１の説明において、前後方向は、チャイルドシート１の前後方向に対応し、左右方向は、チャイルドシート１の前方から見た左右方向に対応している。
【００１７】
本実施形態に係るチャイルドシート１は、自動車の座席の上に配置され、乳児や幼児などの子供を安全に乗車させるための装置である。チャイルドシート１は、ベース本体１０および座席本体１１を備える。ベース本体１０は乗用自動車の座席シート上に載置され、座席本体１１を下方から支持する。座席本体１１は、ベース本体１０の上側に取り付けられ、ベース本体１０に対して回転自在に支持される。
【００１８】
座席本体１１には、子供が着座する。このため、座席本体１１は、子供の臀部を支持する座面部２と、座面部２の後方から立ち上がり、子供の背部を支持する背もたれ部３とを有する。また、座面部２には、座面部２用の被覆部材２０が取り外し可能に装着されている。背もたれ部３には、背もたれ部３用の被覆部材３０が取り外し可能に装着されている。これらの被覆部材２０，３０は、柔らかい布製部材、たとえば、クッション材によって形成される。なお、被覆部材２０，３０は、図１のみにおいて示されており、他の図では省略されている。
【００１９】
背もたれ部３には、背もたれ部３の前面上に重なって、上下方向に摺動可能なスライド部材４が配置される。スライド部材４は、ロック機構により所定位置に固定することができる。これにより、本実施の形態に係るチャイルドシート１は、子供の成長に合わせて、後述する肩ベルト１２の高さ調節を容易に行うことができる。なお、図１に示されるように、スライド部材４は、カバー部材７０によりスライド部材４の全面が覆われていてもよい。カバー部材７０ついては、後述する。なお、カバー部材７０についても、図１，９，１０においてのみ示されており、他の図では省略されている。
【００２０】
チャイルドシート１には、子供の体を拘束するベルトが複数設けられている。背もたれ部３に設けられるベルトとして、子供の両肩を拘束する一対の肩ベルト１２を含む。肩ベルト１２は、スライド部材４および背もたれ部３を貫通するように配置されている。肩ベルト１２は、背もたれ部３に装着されており、背もたれ部３に固定されていることに限定されない。具体的には、肩ベルト１２は、チャイルドシート１の後方から前方までループしている状態も含む。
【００２１】
また、座面部２に設けられるベルトとして、たとえば、座席本体１１に着座した子供の両太腿の間を延びる股ベルト１３と、子供の腰を拘束する腰ベルト１４とを含む。これらのベルト１２，１３，１４は、股ベルト１３の先端に設けられる連結具１５により、子供の腹部付近で連結される。なお、ベルト１２，１３，１４および連結具１５についても、図１のみにおいて示されており、他の図では省略されている。
【００２２】
背もたれ部３およびスライド部材４の詳細な説明に先立ち、背もたれ部３およびスライド部材４と肩ベルト１２との関係について説明する。図２は、本実施の形態に係るチャイルドシート１の斜視図である。図３は、本実施の形態に係るチャイルドシート１の背もたれ部３およびスライド部材４を取り出して示す正面図であって、図３（Ａ）は、スライド部材４が一番低い高さで固定されている状態を示す正面図であり、図３（Ｂ）は、スライド部材４が一番高い高さで固定された状態を示す正面図である。図４は、本実施の形態に係るチャイルドシート１の背もたれ部３およびスライド部材４を取り出して示す背面図である。
【００２３】
図２〜４をさらに参照して、スライド部材４には、一対の肩ベルト１２を貫通させる一対の肩ベルト通し穴４３が形成されており、背もたれ部３の肩ベルト通し穴４３に対面する位置には、スライド部材４の背もたれ部３に対する上下方向に延びる長穴３２が設けられている。これにより、スライド部材４の肩ベルト通し穴４３を通過した肩ベルト１２は、長穴３２をさらに通過する。図４に示されるスライド部材４の後面には、一対の肩ベルト通し穴６３が形成されている。この場合、肩ベルト通し穴４３と長穴３２を通過した肩ベルト１２は、一対の肩ベルト通し穴６３をさらに通過する。
【００２４】
このような構造により、本実施の形態のチャイルドシート１は、スライド部材４を背もたれ部３に対して摺動させて、図３（Ａ）から図３（Ｂ）の範囲で、スライド部材４の高さ位置を変化させて、肩ベルト１２の支持位置、つまり肩ベルト通し穴４３の高さ位置を変化させることができる。これにより、本実施の形態のチャイルドシート１は、子供の成長に応じて肩ベルト１２の高さ位置の調節を容易に行うことができる。
【００２５】
図５を参照して、背もたれ部３について説明する。図５は、背もたれ部３のみを取り出して示す斜視図である。
【００２６】
背もたれ部３は、一対の肩ベルト１２を背面にまで貫通させる、上下方向に長い長穴３２が設けられている。長穴３２は、間隔をあけて一対設けられている。一対の長穴３２の間には、前面に突出し、上下方向に延びるレール部３１が形成される。レール部３１には、スライド部材４が配置され、スライド部材４は、レール部３１に沿って上下方向に摺動可能に取り付けられる。
【００２７】
長穴３２は、背もたれ部３を前後方向に貫通し、四方を取り囲む立壁３３によって囲まれている。立壁３３には、複数の受け入れ穴３４が設けられている。受け入れ穴３４は、貫通穴であり、たとえば、５つ設けられる。この場合、スライド部材４は、５段階の高さに調節することができる。受け入れ穴３４には、スライド部材４のピン部材６２が貫通する。ピン部材６２については、後述する。なお、受け入れ穴３４は、穴に限定されず、ピン部材６２と係合することができれば、凹部や切欠きなどであってもよい。
【００２８】
図６を参照して、スライド部材４について説明する。図６は、スライド部材４を取り出して示す正面図である。
【００２９】
スライド部材４は、上方部分４１と下方部分４２とを含む。スライド部材４の上方部分４１は、一対の肩ベルト１２を貫通させる一対の肩ベルト通し穴４３を有する。一対の肩ベルト通し穴４３は、上方部分４１の下方端近傍に配置されている。上方部分４１は、背面部４４と、背面部４４の左右方向両端部に取り付けられ、子供の側頭部を保護するための一対の側壁部４５とを含んでもよい。背面部４４の中央部には、子供の後頭部を支持する頭部支持部４４１が配置されており、複数の貫通孔が設けられている。側壁部４５は、上方部分４１の幅方向両端部から前方に突出する。スライド部材４は、側壁部４５が設けられることにより、肩ベルト１２を支持するだけではなく、ヘッドレストとしても機能する。
【００３０】
スライド部材４の下方部分４２は、上方部分４１の左右方向両端縁から下方に突出して延びる一対の下方突出棒状部分４６を有する。下方部分４２の一対の下方突出棒状部分４６の間には、空間が形成される。したがって、図２，３に示されるように、スライド部材４が背もたれ部３の前面上に重なると、背もたれ部３の前面、すなわち、背もたれ部３の一対の長穴３２が露出する。下方突出棒状部分４６の上下方向の長さは、図３（Ｂ）に示されるように、スライド部材４が最も高い位置に配置される場合でも、下方突出棒状部分４６が一対の長穴３２を覆うことができる長さを有している。
【００３１】
図９，１０を参照して、スライド部材４のカバー部材７０について説明する。図９は、スライド部材４のカバー部材７０の正面図であり、図１０は、スライド部材４のカバー部材７０の背面図である。なお、図９において、スライド部材４の上方部分４１および下方部分４２を破線で示している。
【００３２】
スライド部材４は、下方突出棒状部分４６に張り渡されて、背もたれ部３の前面を覆う薄手の素材からなるカバー部材７０を備える。カバー部材７０は、スライド部材４の前方の全面を覆っていてもよい。この場合、カバー部材７０は、スライド部材４の下方部分４２の前面を覆う張り渡し部７１を含む。張り渡し部７１は、薄手の素材であり、具体的には、ハンモック素材である。張り渡し部７１は、薄手の素材であれば、材質に限定されないが、子供の背面を支持するため、通気性を有する部材、たとえば、メッシュ生地であってもよい。
【００３３】
カバー部材７０は、スライド部材４の上方部分４１の前面を覆うサポートパッド７２を含んでもよい。サポートパッド７２は、たとえば、クッション素材で設けられている。この場合、サポートパッド７２は、張り渡し部７１の上方の縫目７３で縫い付けられている。また、肩ベルト通し穴４３が位置する部分には、切り込み７４が設けられている。なお、側壁部４５を覆う被覆部材は、カバー部材７０とは別に設けられている。
【００３４】
図１０に示すように、張り渡し部７１の下方端７１１は、後方に折り返されて、縫い付けられ、張り渡し部７１の左右方向両端部に一対の挿入部７１２が設けられる。この挿入部７１２には、下方突出棒状部分４６の下方端が挿入される。この場合、下方突出棒状部分４６と張り渡し部７１との横幅Ｌ１は、略同一である。これにより、張り渡し部７１は、下方突出棒状部分４６により左右方向に引っ張られて緊張し、張り渡し部７１に張力がかかる。このような構造により、チャイルドシート１に着座する子供は、張り渡し部７１の後方に配置される一対の長穴３２の段差を感じることはなく、乗り心地が良好である。また、従来のチャイルドシートのように、スライド部材４全体を、板材やクッションなど厚みのある部材で形成する必要がないため、スライド部材４の軽量化を図ることができ、チャイルドシート１の軽量化を図ることができる。
【００３５】
さらに、図１に示されるように、スライド部材４は、薄手の素材で形成されているため、スライド部材４と背もたれ部３の被覆部材３０（背もたれ部３）との段差もほとんど形成されない。段差が形成されたとしても、スライド部材４は、薄手の素材であるため、チャイルドシート１に着座する子供は、段差を感じることがない。従来のチャイルドシートは、背もたれ部３とスライド部材４で形成される段差を被うためのクッションなどを別途設ける必要があった。しかし、本実施の形態に係るチャイルドシート１は、そもそも段差ができないため、従来のように、別途クッションを設ける必要はなく、簡易な構造でチャイルドシート１に着座する子供の乗り心地を向上することが可能である。
【００３６】
図７，８を参照して、スライド部材４は、スライド部材４の後方にロック機構を有する。ロック機構は、スライド部材４と背もたれ部３とをロック状態およびロック解除状態に切り替え、スライド部材４の高さを所定位置に固定する。まず、スライド部材４の後方に取り付けられている、上下方向にスライドする移動部５０について説明する。図７は、スライド部材４の背面斜視図であり、図８は、スライド部材４の側面図である。
【００３７】
移動部５０は、スライド部材４の上方に配置される操作部５１と、一対のばね５２と、一対のばね５２を保持する一対のばね保持部５３と、一対の平板部５４と、一対の平板部５４に形成される一対の傾斜穴５５とを有する。操作部５１とばね保持部５３と一対の平板部５４とは、一体的に形成されている。これにより、操作部５１を押圧すると、操作部５１とばね保持部５３と一対の平板部５４とは、下方に移動する。操作部５１を下方に移動させることで、ピン部材６２は、長穴３２の受け入れ穴３４に貫通する。操作部５１は、前方に形成されているため、チャイルドシート１の前方から操作を行うことができ、操作が容易である。
【００３８】
ばね５２は、ばね保持部５３内に配置され、ばね５２の上方端は、背面部４４の当接部４４２に当接し、ばね５２の下方端は、ばね保持部５３の当接部５３１に当接している。操作部５１を押圧すると、ばね５２は、ばね保持部５３の当接部５３１の下方への移動に合わせて、上下方向に伸びる。操作部５１から手を離すと、ばね５２の付勢力により、元の位置に戻る。つまり、移動部５０は、ばね５２によって、上方に付勢されている。
【００３９】
図７に示すように、一対の平板部５４は、移動部５０の下端において、ばね保持部５３から内方に突出して設けられる。一対の平板部５４には、一対の傾斜穴５５が設けられる。一対の傾斜穴５５は、平面視ハの字形状に傾斜している。つまり、一対の傾斜穴５５は、中央部側よりも左右両端部側に位置する部分が下方に位置する。一対の傾斜穴５５には、図１２，１５に示される平面視Ｌ字状のピン部材６２が貫通している。
【００４０】
支持部６０は、移動部５０の背面に設けられる。支持部６０は、スライド部材４を背もたれ部３に保持する部分であり、移動部５０の移動により上下方向に移動しない。支持部６０は、スライド部材４の後方に向かって突出する収納部６１と、収納部６１に収納されるピン部材６２と、平坦部６４と、平坦部６４に設けられる一対の肩ベルト通し穴６３とを備える。
【００４１】
図１１〜１３で示されるように、ピン部材６２は、平面視Ｌ字形状であり、短片部６２１と長片部６２２とを含む。短片部６２１の先端は、移動部５０の傾斜穴５５に挿入され、長片部６２２の先端は、長穴３２の受け入れ穴３４に貫通可能である。ピン部材６２は、操作部５１の押圧による上下方向の移動により、上下方向には移動せず、左右方向に移動する。つまり、ピン部材６２は、操作部５１の操作と連動して移動する。
【００４２】
上述したように、肩ベルト通し穴６３は、肩ベルト通し穴４３および長穴３２を貫通した肩ベルト１２が貫通する。図４に示されるように、収納部６１は、背もたれ部３のレール部３１を挟む。これにより、スライド部材４は、背もたれ部３に対して上下方向にスライド移動可能に保持される。
【００４３】
次に、図１１〜１６を参照して、ロック機構の構造について説明する。図１１は、図８のＸＩ−ＸＩ線に沿って見た縦断面図であって、スライド部材４のロック状態を示す縦断面図である。図１２は、図１１のＸＩＩ−ＸＩＩ線に沿って見た横断面図であって、スライド部材４のロック状態を示す図である。図１３は、図１１に対応する縦断面図であって、背もたれ部３とスライド部材４のロック状態を示す図である。図１４は、図８のＸＩ−ＸＩ線に沿って見た縦断面図であって、スライド部材４のロック解除状態を示す縦断面図である。図１５は、図１４のＸＶ−ＸＶ線に沿って見た横断面図であって、スライド部材４のロック解除状態を示す図である。図１６は、図１４に対応する縦断面図であって、背もたれ部３とスライド部材４のロック解除状態を示す図である。なお、図１３，１６において、張り渡し部７１を破線で示している。
【００４４】
図１４〜１６に示されるように、操作部５１を手で下方に押圧すると、ばね保持部５３および平板部５４を含む移動部５０が下方に移動し、傾斜穴５５も下方に移動する。傾斜穴５５に貫通しているピン部材６２の短片部６２１は、傾斜穴５５の傾斜に沿って内方に移動し、ピン部材６２の長片部６２２は、受け入れ穴３４から引き抜かれる。つまり、ピン部材６２は、図１６に示されるように、長穴３２の受け入れ穴３４との係合状態が解除される。これにより、スライド部材４のロック状態が解除される。
【００４５】
操作部５１から手を離すと、操作部５１は、操作部５１の押圧により縮んでいたばね５２は、その付勢力よって、図１１〜１３に示す位置に復帰する。これにより、ピン部材６２の短片部６２１は、傾斜穴５５の傾斜に沿って外方に移動し、ピン部材６２の長片部６２２は、受け入れ穴３４に貫通する。これにより、スライド部材４は、背もたれ部３に対する移動が規制される。つまり、スライド部材４は、ロック状態となる。スライド部材４がロックされている状態は、操作部５１が操作されていない状態である。
【００４６】
子供の成長に応じて、スライド部材４の高さを調節する際の動作は、次の通りである。
【００４７】
まず、操作部５１を手で押圧し、スライド部材４のピン部材６２を長穴３２の受け入れ穴３４からそれぞれ引き抜く。その状態で、スライド部材４を所望の高さまで移動させて、操作部５１から手を離す。操作部５１は、ばね５２の付勢力によって、元の位置に復帰し、一対のピン部材６２がそれぞれ長穴３２の受け入れ穴３４に貫通され、スライド部材４の移動が禁止される。このように、子供の成長に合わせて、一番低い高さの図３（Ａ）の位置から、一番高い高さの図３（Ｂ）の位置まで、所定の位置でスライド部材４の高さを調節することが可能である。
【００４８】
また、本実施の形態では、スライド部材４は、チャイルドシート１に着座した子供の頭部を受けるヘッドレストとして構成されている。これにより、子供の頭部の高さ位置に応じて、肩ベルト１２の高さ位置を調節することが可能となる。
【００４９】
なお、上記実施の形態において、カバー部材７０は、スライド部材４の全面を覆い、カバー部材７０の上方部分には、サポートパッド７２が縫い付けられているとして説明した。しかし、カバー部材７０は、少なくとも下方突出棒状部分４６に張り渡されて、背もたれ部３の前面を覆う薄手の素材から形成されていれば、この形状に限定されない。
【００５０】
また、上記実施の形態において、スライド部材４の上方部分４１は、背面部４４および側壁部４５が配置されるとしたが、上方部分４１には、少なくとも肩ベルト通し穴４３が形成されていればよい。
【００５１】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５２】
１  チャイルドシート、２  座面部、３  背もたれ部、４  スライド部材、１０  ベース本体、１１  座席本体、１２  肩ベルト、１３  股ベルト、１４  腰ベルト、１５  連結部、２０，３０  被覆部材、３１  レール部、３２  長穴、３３  立壁、３４  受け入れ穴、４１  上方部分、４２下方部分、４３  肩ベルト通し穴、４４  背面部、４５  側壁部、４６  内方突出棒状部分、５０  移動部、５１  操作部、５２  ばね、５３  ばね保持部、５４  平板部、５５  傾斜穴、６０  支持部、６１  収納部、６２  ピン部材、６３  肩ベルト通し穴、６４  平坦部、７０  カバー部材、７１  張り渡し部、７２サポートパッド、７３  縫目、７４  切り込み、４４１  頭部支持部、４４２  当接部、５３１  当接部、６２１  短片部、６２２  長片部、７１１  下方端、７１２  挿入部。
【図１】
0006676320.tif 000002
【図２】
0006676320.tif 000003
【図３】
0006676320.tif 000004
【図４】
0006676320.tif 000005
【図５】
0006676320.tif 000006
【図６】
0006676320.tif 000007
【図７】
0006676320.tif 000008
【図８】
0006676320.tif 000009
【図９】
0006676320.tif 000010
【図１０】
0006676320.tif 000011
【図１１】
0006676320.tif 000012
【図１２】
0006676320.tif 000013
【図１３】
0006676320.tif 000014
【図１４】
0006676320.tif 000015
【図１５】
0006676320.tif 000016
【図１６】
0006676320.tif 000017